(57)【要約】【課題】計測器とタブレット型コンピュータとを容易に一体的な状態に固定でき、土砂等から保護可能であり、収納もスムーズに行うことが可能な計測データ表示装置の固定収納構造を提供する。【解決手段】計測データを表示させる計測データ表示装置を固定および収納することが可能な計測データ表示装置の固定収納構造１１であって、計測器を収納する下ケース２０と、下ケース２０と共に、内部側に配置されている各部材を覆う上ケース３０と、下ケース２０に設けられていると共に、計測データ表示装置１１を載置する載置台５０と、取付支点７１を介して載置台５０の上面５２側に取り付けられている固定バンド７０と、載置台５０の上面５２側に設けられていると共に、固定バンド７０の他端側を掛止する掛止部５５と、を備えている。【選択図】図２
2017173070.tif 000002
【特許請求の範囲】
【請求項１】
計測データを表示させる計測データ表示装置を固定および収納することが可能な計測データ表示装置の固定収納構造であって、
計測器を収納する下ケースと、
前記下ケースと共に、内部側に配置されている各部材を覆う上ケースと、
前記下ケースに設けられていると共に、前記計測データ表示装置を載置する載置台と、
取付支点を介して前記載置台の上面側に取り付けられている固定バンドと、
前記載置台の上面側に設けられていると共に、前記固定バンドの他端側を掛止する掛止部と、
を備えることを特徴とする計測データ表示装置の固定収納構造。
【請求項２】
請求項１記載の計測データ表示装置の固定収納構造であって、
前記下ケースには、計測器を収納すると共に前記載置台が覆う計測器収納部と、前記計測器に付属する備品を収納する備品収納部とが設けられていて、
前記下ケースの底面には、前記計測器収納部と前記備品収納部とを区画すると共に当該下ケースの幅方向の全体に亘って所定の高さを有するリブ状の仕切壁が上方に向かって突出するように設けられていて、
前記載置台の外周壁の一部は、その下端側が前記仕切壁に当接する、
ことを特徴とする計測データ表示装置の固定収納構造。
【請求項３】
請求項２記載の計測データ表示装置の固定収納構造であって、
前記仕切壁の上方側には段差部が設けられていて、この段差部によって前記載置台の外周部の一部を支持すると共に、
前記下ケースの外周側かつ上端側には、凹溝状の凹嵌部が設けられていて、この凹嵌部に前記載置台の他の一部が嵌合状態で挿入される、
ことを特徴とする計測データ表示装置の固定収納構造。
【請求項４】
請求項１から３のいずれか１項に記載の計測データ表示装置の固定収納構造であって、
前記載置台のうち前記計測データ表示装置が載置される載置面には、保持シートが取り付けられていて、前記保持シートは粘着性材質から形成されると共に、
前記固定バンドは、前記保持シートの幅方向における一方側と他方側とにそれぞれ配置されていて、
前記保持シートは前記計測データ表示装置の背面側から粘着状態で保持すると共に、
前記固定バンドは前記計測データ表示装置の表面側に位置して当該計測データ表示装置を押さえる、
ことを特徴とする計測データ表示装置の固定収納構造。
【請求項５】
請求項１から４のいずれか１項に記載の計測データ表示装置の固定収納構造であって、
前記固定バンドには、前記掛止部が挿入される係止孔が設けられていると共に、
前記係止孔の内周側には、前記固定バンドの他の部分よりも硬質な内周保護部が設けられている、
ことを特徴とする計測データ表示装置の固定収納構造。
【発明の詳細な説明】
【技術分野】
【０００１】
本発明は、計測データ表示装置の固定収納構造に関する。
【背景技術】
【０００２】
従来より、電気機器の計測のために、各種の計測器が用いられている。このような計測器は、計測に関する各種のボタンやダイヤル等が存在すると共に、液晶パネル等のような表示パネルを備えるのが一般的である。ここで、表示パネルは、上述したボタンやダイヤル等の存在により、計測器の筐体の限られた部位に存在することが多い。このような構成としては、たとえば特許文献１および特許文献２に示すものがある。
【０００３】
また、現状では、種々のタブレット型コンピュータが存在しているが、そのようなタブレット型コンピュータを支持するためのホルダとしては、たとえば特許文献３に開示の構成がある。特許文献３には、上下の抱持部材と、左右の支持部材とを備える支持ホルダが開示されている。
【先行技術文献】
【特許文献】
【０００４】
【特許文献１】特開２０１５−１１４１６６号公報
【特許文献２】特開２０１５−０３８７５１号公報
【特許文献３】特開２０１２−２２６４１９号公報
【発明の概要】
【発明が解決しようとする課題】
【０００５】
上述のように、特許文献１、２に開示の計測器においては、表示パネルが筐体の限られた部位にしか存在しないものの、表示パネルをより大きくして、計測データを見やすくするという要望がある。かかる要望に応えるために、計測器とタブレット型コンピュータとの間で通信を行って、タブレット型コンピュータの表示パネルに、計測データを表示させる、という構成とすることが検討されている。
【０００６】
しかしながら、特に屋外では、計測器とタブレット型コンピュータが別体である場合には、計測が非常に行い難い状態となる。また、特に屋外では、土砂等から計測器やタブレット型コンピュータを良好に保護する必要があり、さらに計測の実施と、計測終了後の収納もスムーズに行える構成であることも望まれている。しかしながら、現状では、このようなニーズを満たす構成は存在していない。
【０００７】
また、特許文献３に開示の構成では、上下の抱持部材と、左右の支持部材や、その他の構成を備えているので、タブレット型コンピュータを支持するための部品点数が多くなってしまう、という問題がある。
【０００８】
本発明は上記の事情にもとづきなされたもので、その目的とするところは、計測器とタブレット型コンピュータとを容易に一体的な状態に固定でき、土砂等から保護可能であり、収納もスムーズに行うことが可能でありながらも、部品点数を少なくすることができる計測データ表示装置の固定収納構造を提供しよう、とするものである。
【課題を解決するための手段】
【０００９】
上記課題を解決するために、本発明の第１の観点によると、計測データを表示させる計測データ表示装置を固定および収納することが可能な計測データ表示装置の固定収納構造であって、計測器を収納する下ケースと、下ケースと共に、内部側に配置されている各部材を覆う上ケースと、下ケースに設けられていると共に、計測データ表示装置を載置する載置台と、取付支点を介して載置台の上面側に取り付けられている固定バンドと、載置台の上面側に設けられていると共に、固定バンドの他端側を掛止する掛止部と、を備えることを特徴とする計測データ表示装置の固定収納構造が提供される。
【００１０】
また、本発明の他の側面は、上述の発明において、下ケースには、計測器を収納すると共に載置台が覆う計測器収納部と、計測器に付属する備品を収納する備品収納部とが設けられていて、下ケースの底面には、計測器収納部と備品収納部とを区画すると共に当該下ケースの幅方向の全体に亘って所定の高さを有するリブ状の仕切壁が上方に向かって突出するように設けられていて、載置台の外周壁の一部は、その下端側が仕切壁に当接する、ことが好ましい。
【００１１】
さらに、本発明の他の側面は、上述の発明において、仕切壁の上方側には段差部が設けられていて、この段差部によって載置台の外周部の一部を支持すると共に、下ケースの外周側かつ上端側には、凹溝状の凹嵌部が設けられていて、この凹嵌部に載置台の他の一部が嵌合状態で挿入される、ことが好ましい。
【００１２】
また、本発明の他の側面は、上述の発明において、載置台のうち計測データ表示装置が載置される載置面には、保持シートが取り付けられていて、保持シートは粘着性材質から形成されると共に、固定バンドは、保持シートの幅方向における一方側と他方側とにそれぞれ配置されていて、保持シートは計測データ表示装置の背面側から粘着状態で保持すると共に、固定バンドは計測データ表示装置の表面側に位置して当該計測データ表示装置を押さえる、ことが好ましい。
【００１３】
さらに、本発明の他の側面は、上述の発明において、固定バンドには、掛止部が挿入される係止孔が設けられていると共に、係止孔の内周側には、固定バンドの他の部分よりも硬質な内周保護部が設けられている、ことが好ましい。
【発明の効果】
【００１４】
本発明によると、計測器とタブレット型コンピュータとを容易に一体的な状態に固定でき、土砂等から保護可能であり、収納もスムーズに行うことが可能となる。
【図面の簡単な説明】
【００１５】
【図１】本発明の一実施の形態に係る計測データ表示装置の固定収納構造を有する収納ケースを示す斜視図である。
【図２】図１に示す計測データ表示装置の固定収納構造を有する収納ケースのうち、上ケースが取り外された状態を示す図である。
【図３】、図２に示す構成において、タブレット型コンピュータが固定された状態を示す斜視図である。
【図４】計測データ表示装置の固定収納構造のうち、下ケースを切断した状態を示す側面断面図である。
【図５】計測データ表示装置の固定収納構造のうち、載置台付近を切断した状態を示す側面断面図である。
【図６】図１に示す計測データ表示装置の固定収納構造の載置台の構成を示す斜視図である。
【図７】図６に示す載置台５０に、タブレット型コンピュータを載置して、このタブレット型コンピュータを固定した状態を示す斜視図である。
【図８】本発明の変形例に係り、固定バンドの固定する方向を変更可能な構成を示す載置台付近の平面図である。
【発明を実施するための形態】
【００１６】
以下、本発明の一実施の形態に係る計測データ表示装置の固定収納構造について、図面に基づいて説明する。なお、以下の説明においては、ＸＹＺ直交座標系を用いて説明することがある。そのうち、Ｘ方向は、載置台５０およびタブレット型コンピュータ１００の長辺方向（幅方向）とし、Ｘ１側は図１および図２の右側かつ下側とし、Ｘ２側はそれとは逆の左側かつ上側とする。また、Ｚ方向は、図１において下ケース２０と上ケース３０とを結ぶ方向を指し、Ｚ１側は下ケース２０に対して上ケース３０が位置する側とし、Ｚ２側はそれとは逆側とする。また、Ｙ方向は、ＸＺ方向に直交する方向とし、Ｙ１側は図１および図２における下側かつ左側とし、Ｙ２側はそれとは逆の上側かつ右側とする。
【００１７】
＜計測データ表示装置の固定収納構造の構成について＞
図１は、本実施の形態に係る計測データ表示装置の固定収納構造１１を有する収納ケース１０を示す斜視図である。図２は、図１の計測データ表示装置の固定収納構造１１を有する収納ケース１０を示す斜視図であり、上ケース３０が取り外された状態を示す図である。なお、図２においては、一対の固定バンド７０のうちの一方を取り外した状態を示している。図３は、図２に示す構成において、計測データ表示装置としてのタブレット型コンピュータ１００が固定された状態を示す斜視図である。
【００１８】
図１から図３に示すように、収納ケース１０は、下ケース２０と、上ケース３０と、載置台５０とを有していて、上ケース３０が下ケース２０に対して、ヒンジ部４０を介して開閉自在に設けられている。また、計測データ表示装置の固定収納構造１１は、主たる構成要素が載置台５０であるが、計測データ表示装置としてのタブレット型コンピュータ１００を収納するための部分として、下ケース２０と上ケース３０も該当する。その他、計測データ表示装置の固定収納構造１１の構成要素としては、保持シート６０、固定バンド７０も含まれる。
【００１９】
図４は、計測データ表示装置の固定収納構造１１のうち、下ケース２０を切断した状態を示す側面断面図である。図４に示すように、下ケース２０には、計測器収納部２１と、備品収納部２２とが設けられていて、これらの間は、仕切壁２３によって仕切られている。仕切壁２３は、下ケース２０の底面２０ａから上方に向かうように突出しており、幅方向（Ｘ方向）の全体に亘って所定の高さを有するリブ状の部分となっている。
【００２０】
計測器収納部２１には、図示を省略する計測器が収納されている。この計測器収納部２１は、計測データ表示装置の固定収納構造１１を構成する一要素となっている。計測器収納部２１に収納される計測器は、独立した装置として計測器収納部２１から取り出せるものであっても良いが、独立した装置として計測器収納部２１から取り出せないものであっても良い。独立した装置として計測器収納部２１から取り出せない場合、計測器収納部２１には計測器として機能させるための電気的な部品を搭載した基板や、その他の構成部品が収納される状態となる。
【００２１】
また、備品収納部２２には、外部の測定部位と計測器とを接続するためのケーブルや、その他の備品が収納される部分となっている。
【００２２】
なお、上ケース３０は、下ケース２０に対してロック可能であり、またヒンジ部４０を介して回動自在に設けられている。それにより、収納ケース１０の内部を、外部から閉塞することが可能となっている。
【００２３】
次に、載置台５０について説明する。図５は、載置台５０付近を切断した状態を示す側面断面図である。図４および図５に示すように、載置台５０は、下ケース２０に対して、嵌合構造によって取り付けられているが、下ケース２０から取り外すことも可能となっている。具体的には、図４および図５に示すように、下ケース２０の仕切壁２３の上方側は、それよりも下方側に対して厚みを低減させていて、その境界部分に段差部２４が設けられている。この段差部２４には、載置台５０の外周壁５１の奥側（Ｙ２側）が位置する。
【００２４】
また、下ケース２０の上端側には、段差状の段差部２５が存在していて、その段差部２５は、下ケース２０の外周壁２０ｂの他に、上述した底面２０ａと略平行となる段差面２５ａと、その段差面２５ａの外周側に位置すると共に段差面２５ａよりも上方に向かって突出する周回状の上側外周壁２５ｂとによって構成されている。
【００２５】
ここで、段差部２５のうち、手前側（Ｙ１側）および幅方向（Ｘ方向）の両端側には、隔壁２６が設けられている。隔壁２６は、上側外周壁２５ｂと対向するように設けられている。したがって、段差面２５ａ、上側外周壁２５ｂおよび隔壁２６により、凹溝状の凹嵌部２７が存在する構成となっている。そして、この凹嵌部２７に、外周壁５１の手前側（Ｙ１）の下端側が差し込まれる。
【００２６】
このような構成により、載置台５０の４つの外周壁５１のうち、３つの外周壁５１の下端側が、凹嵌部２７に差し込まれた状態となっていて、１つの外周壁５１のみが、段差部２４に支持された状態となっている。したがって、載置台５０は、非常に安定的な状態で、下ケース２０に支持されている。
【００２７】
なお、下ケース２０と載置台５０の間には、別途のスペーサや、ボルト、抜け止め等を設けることができ、これらによって、一層確実な載置台５０の取付状態を実現するようにしても良い。また、外周壁５１と上面５２とで囲まれた載置台５０の内部空間には、上述したような、計測器として機能させるための基板を取り付けるようにしても良い。
【００２８】
図６は、載置台５０の構成を示す斜視図であり、一対の固定バンド７０のうちの一方側を取り外した状態を示している。図７は、図６に示す載置台５０に、タブレット型コンピュータ１００を載置して、このタブレット型コンピュータ１００を固定した状態を示す斜視図である。なお、タブレット型コンピュータ１００は、計測器との間で、通信を行うことが可能となっている。その通信により、タブレット型コンピュータ１００の表示パネルには、計測器における計測データを表示させることが可能となっている。かかる通信方式としては、Bluetooth（登録商標）といった近距離無線通信が挙げられるが、通信方式は、いかなる方式でも良い。また、通信方式は、ワイヤレスであっても良く、ケーブルを用いたものであっても良い。
【００２９】
図６に示すように、載置台５０は、外周壁５１を有すると共に、上面５２を有している。上面５２の奥側（Ｙ２側）には、プラグ等の端子部品を差し込むための端子穴５２ｃが存在している。同じく上面５２の奥側（Ｙ２側）には、スイッチ５２ａが露出している。スイッチ５２ａは、たとえば計測器を作動させるためのスイッチであるが、計測器を作動させる以外の機能に関するスイッチであっても良い。また、スイッチ５２ａの他に、上面５２には、点灯部５２ｂも設けられている。点灯部５２ｂは、光源を備えて点灯可能に設けられている部分であり、計測器が作動しているか否かを光源が点灯するかしないかによってユーザに知らせるための部分である。
【００３０】
また、上面５２には、載置面５３が設けられている。載置面５３は、タブレット型コンピュータ１００を載置する部分である。この載置面５３は、奥側（Ｙ２側）の方が、手前側（Ｙ１側）よりも高くなるように設けられている。そのため、ユーザが載置面５３にタブレット型コンピュータ１００を載置した状態で、タブレット型コンピュータ１００の画面を視認し易い状態となる。なお、載置面５３の傾斜角度は何度であっても良いが、収納ケース１０の内部へのタブレット型コンピュータ１００の収納性と、タブレット型コンピュータ１００の画面の視認性を良好にするために、５〜３０度とするものがある。
【００３１】
この載置面５３のうち、手前側（Ｙ１側）と、幅方向（Ｘ方向）の両端側には、端部壁５４が設けられている。端部壁５４は、タブレット型コンピュータ１００を載置面５３に載置した場合に、そのタブレット型コンピュータ１００が大きく位置ずれするのを防止するためのリブ状の部分である。
【００３２】
また、図６に示すように、載置面５３には、保持シート６０が貼り付けられている。保持シート６０は、タブレット型コンピュータ１００が位置ずれしてしまうのを防止するための部材であり、そのため、保持シート６０は、載置面５３よりも摩擦係数が高い状態となっている。また、保持シート６０は、タブレット型コンピュータ１００に振動が伝達されるのを低減する防振性も備える部材である。
【００３３】
なお、保持シート６０は、載置面５３よりも粘着性の高い材質（粘着性材質）から形成されることが好ましい。この場合には、タブレット型コンピュータ１００の位置ずれを一層良好に防止できるからである。かかる粘着性の高い材質としては、スチレン系エラストマー、フッ素ゴム系エラストマー、シリコーンゴム系エラストマー、ブチル系エラストマー、ポリウレタン系エラストマー、ポリエステル系エラストマー、オレフィン系エラストマーやその他のエラストマー等、種々のエラストマーを用いることが可能である。
【００３４】
また、上面５２の手前側（Ｙ１側）には、掛止部としてのフック５５が設けられている。フック５５は、後述する固定バンド７０の係止孔７２が掛止される部分である。このフック５５は、たとえば鉤状に設けられていて、その鉤状の先端側が手前側（Ｙ１側）に向かうように設けられている。
【００３５】
また、上面５２には、固定バンド７０も取り付けられている。固定バンド７０は、載置面５３に載置されたタブレット型コンピュータ１００が移動しないように固定するための結束部材である。図６および図７に示す構成では、固定バンド７０は一対設けられていて、その一対の固定バンド７０は、載置台５０の幅方向（Ｘ方向）の両側にそれぞれ設けられている。この固定バンド７０は、断面が扁平状に設けられていて、柔軟に変形することが可能となっている。このような固定バンド７０としては、弾性を有して所定だけ伸縮可能なエラストマーを材質とすることが好ましい。しかしながら、面ファスナーや、その他の部材を材質としても良い。なお、エラストマーとしては、フッ素ゴム、シリコーンゴム等が代表的であるが、その他のエラストマーであっても良い。
【００３６】
この固定バンド７０は、外周壁５１の奥側（Ｙ２側）の部位を取付支点７１として、回動可能に設けられている。取付支点７１には、固定バンド７０を貫通する固定孔７１ａ（図５参照）が設けられていて、その固定孔７１ａには、段付きの段付きネジ７１ｂが挿入されている。かかる段付きネジ７１ｂは、載置台５０に捻じ込まれるが、この段付きネジ７１ｂには段状の部分が存在するので、段付きネジ７１ｂが最後まで捻じ込まれることがない。したがって、固定バンド７０が回動することが可能となっている。
【００３７】
また、固定バンド７０のうち取付支点７１とは反対側の端部には、複数（図６および図７に示す構成では一例として３つ）の係止孔７２が設けられている。係止孔７２は、上述したフック５５が掛止される部分であり、図６および図７に示す構成では、固定バンド７０の幅方向を長手とする長孔状に設けられている。なお、本実施の形態では、係止孔７２の内周側には、内周保護部７３が設けられている。内周保護部７３は、固定バンド７０の中で最も硬質な部分であり、そのため、内周保護部７３は、固定バンド７０の他の部分よりも硬質な樹脂から形成されている。このため、固定バンド７０のうち係止孔７２付近の幅方向において、応力集中により固定バンド７０に亀裂が生じるのを防止可能となっている。
【００３８】
なお、内周保護部７３は、たとえば固定バンド７０との二色成型によって形成されるが、かかる内周保護部７３は、硬質樹脂であれば、どのような樹脂から形成されていても良い。一例としては、硬質ナイロン、アクリル樹脂、ポリカーボネート、塩化ビニル、ポリアミド、ポリエチレンテレフタレート、ポリスチレン、ＡＳ樹脂、ＡＢＳ樹脂等やその他の種々の樹脂が挙げられる。
【００３９】
以上のような構成の計測データ表示装置の固定収納構造１１において、計測データ表示装置としてのタブレット型コンピュータ１００を固定する場合、載置台５０の載置面５３に、タブレット型コンピュータ１００を載置する。このとき、タブレット型コンピュータ１００は、保持シート６０に載置された状態となる。
【００４０】
その後に、固定バンド７０がタブレット型コンピュータ１００の上部に位置させる状態として、固定バンド７０の係止孔７２をフック５５に掛止する。このとき、固定バンド７０には張力を与えることで、タブレット型コンピュータ１００を良好に保持する状態とする。また、かかる固定バンド７０の係止に際しては、固定バンド７０は、タブレット型コンピュータ１００の表示画面の脇に存在する枠部分には差し掛かるものの、表示画面に差し掛からない状態とする。それによって、表示画面の視認性が確保される。
【００４１】
＜効果＞
以上のような構成の計測データ表示装置の固定収納構造１１においては、計測器を収納する下ケース２０と、下ケース２０と共に内部側に配置されている各部材を覆う上ケース３０と、下ケース２０に設けられていると共に、タブレット型コンピュータ１００を載置する載置台５０とを備えている。さらに、取付支点７１を介して載置台５０の上面５２側には、固定バンド７０が取り付けられている。また、載置台５０の上面５２側には、固定バンド７０の他端側を掛止するフック５５も設けられている。このため、下ケース２０内に計測器を収納しながらも、タブレット型コンピュータ１００を一体的な状態に容易に固定することができる。
【００４２】
ここで、特に屋外において、計測器とタブレット型コンピュータ１００とが別体である場合には、タブレット型コンピュータ１００が汚れないように手等で保持しながら、ケーブルの接続等を行う場合もあるが、そのような場合には、計測が非常に行い難くなる。また、特に屋外では、タブレット型コンピュータ１００の置き場所が地面以外に存在しない場合には、タブレット型コンピュータ１００を、直接地面等に置く場合もあるが、その場合には、土砂や埃等が、タブレット型コンピュータ１００に付着等してしまう。さらに、計測終了後には、計測器やタブレット型コンピュータ１００をスムーズに収納する必要もある。
【００４３】
これに対して、本実施の形態では、タブレット型コンピュータ１００が載置台５０に固定されるので、タブレット型コンピュータ１００を手等で保持する必要がなく、ケーブル等の接続作業を容易に行える。また、タブレット型コンピュータ１００を直接、地面等に置かずに済むので、タブレット型コンピュータ１００が土砂や埃等で汚れるのを防止可能となる。さらに、計測終了後には、下ケース２０にタブレット型コンピュータ１００を取り付けたままで、上ケース３０を下ケース２０に対して閉じることができ、計測器やタブレット型コンピュータ１００の収納に手間取ることがない。
【００４４】
また、本実施の形態では、タブレット型コンピュータ１００を固定するための構成として、固定バンド７０と、フック５５を用いた簡易な固定方式を採用しているので、部品点数を少なくすることができる。
【００４５】
また、本実施の形態では、下ケース２０には、計測器を収納すると共に載置台５０が覆う計測器収納部２１と、計測器に付属する備品を収納する備品収納部２２とが設けられていて、下ケース２０の底面２０ａには、計測器収納部２１と備品収納部２２とを区画すると共に下ケース２０の幅方向（Ｘ方向）の全体に亘って所定の高さを有するリブ状の仕切壁２３が上方に向かって突出するように設けられている。また、載置台５０の外周壁５１の一部は、その下端側が仕切壁２３に当接している。
【００４６】
このため、仕切壁２３の存在によって、計測器収納部２１と備品収納部２２を確実に区画することができると共に、下ケース２０の強度を向上させることができる。また、載置台５０の下端側が仕切壁２３に当接することで、仕切壁２３によって載置台５０の一部を支持することが可能となる。
【００４７】
さらに、本実施の形態では、仕切壁２３の上方側には段差部２４が設けられていて、この段差部２４によって載置台５０の外周部の一部が支持される。加えて、下ケース２０の外周側かつ上端側には、凹溝状の凹嵌部２７が設けられていて、この凹嵌部２７に載置台５０の他の一部が嵌合状態で挿入されている。このため、載置台５０は、下ケース２０の上端側の仕切壁２３（段差部２４）および凹嵌部２７に対して、嵌合する状態で取り付けられる。したがって、載置台５０の下ケース２０に対する取付の安定性を向上させることが可能となる。また、載置台５０が嵌合状態で下ケース２０に取り付けられることにより、載置台５０が収納ケース１０の構造部材として機能させることができ、収納ケース１０の強度を高めることが可能となる。それにより、計測器およびタブレット型コンピュータ１００を一層良好に保護することが可能となる。
【００４８】
また、本実施の形態では、載置台５０のうちタブレット型コンピュータ１００が載置される載置面５３には、保持シート６０が取り付けられていて、この保持シート６０は粘着性材質から形成されている。また、固定バンド７０は、保持シート６０の幅方向（Ｘ方向）における一方側と他方側とにそれぞれ配置されていて、保持シート６０はタブレット型コンピュータ１００の背面側から粘着状態で保持する。加えて、固定バンド７０は、タブレット型コンピュータ１００の表面側に位置して、このタブレット型コンピュータ１００を押さえる状態となる。
【００４９】
このため、タブレット型コンピュータ１００は、表面側に位置する固定バンド７０のみならず、背面側に位置する保持シート６０によっても固定される。また、タブレット型コンピュータ１００は、保持シート６０を挟んだ両側において固定バンド７０によってそれぞれ固定される。そのため、タブレット型コンピュータ１００は、非常に位置ずれし難い状態となり、タブレット型コンピュータ１００の固定における安定性を一層向上させることが可能となる。
【００５０】
特に、スマートフォンと比較して画面が大型のタブレット型コンピュータ１００は、スマートフォン等と比較して、重量が大きく、収納ケース１０への収納時に移動しないことが求められる。しかしながら、上述した表面側と裏面側からの固定に加えて、保持シート６０を挟んで幅方向（Ｘ方向）の両側からも固定バンド７０で固定されるので、タブレット型コンピュータ１００が非常に位置ずれし難くなり、タブレット型コンピュータ１００の固定を非常に安定化させることが可能となる。
【００５１】
さらに、本実施の形態では、固定バンド７０には、フック５５が挿入される係止孔７２が設けられている。加えて、係止孔７２の内周側には、固定バンド７０の他の部分よりも硬質な内周保護部７３が設けられている。このため、固定バンド７０のうち係止孔７２付近の幅方向において、応力集中により固定バンド７０に亀裂が生じるのが防止可能となる。
【００５２】
＜変形例＞
以上、本発明の一実施の形態について説明したが、本発明はこれ以外にも種々変形可能となっている。以下、それについて述べる。
【００５３】
上述の実施の形態においては、固定バンド７０の取付支点７１と、フック５５とは、幅方向（Ｘ方向）の一方側（Ｘ１側）と他方側（Ｘ２側）に、それぞれ１つずつ設けられている。しかしながら、取付支点７１とフック５５とは、幅方向（Ｘ方向）の一方側（Ｘ１側）と他方側（Ｘ２側）に、それぞれ複数設け、かつ固定バンド７０が取付支点７１に対して容易に着脱可能な構成としても良い。このように構成する場合には、タブレット型コンピュータ１００の寸法に応じて、いずれかの取付支点７１に固定バンド７０を取り付ける構成とすることができる。したがって、載置台５０に固定することが可能なタブレット型コンピュータ１００の寸法の範囲を拡大することが可能となる。
【００５４】
また、上述した実施の形態では、固定バンド７０は、奥行き方向（Ｙ方向）に延伸する状態で、タブレット型コンピュータ１００を保持している。しかしながら、図８に示すように、固定する方向を容易に変更な構成としても良い。図８では、取付支点７１に対してフック５５が手前側（Ｙ１側）に位置するのみならず、タブレット型コンピュータ１００を挟んで幅方向（Ｘ方向）の反対側にもフック５５が存在している。
【００５５】
このような構成とする場合、固定バンド７０が幅方向（Ｘ方向）に概ね沿う（ただし図８に示す構成では幅方向（Ｘ方向）に対して若干斜めとなる）状態で、タブレット型コンピュータ１００を固定することができる。このような固定を可能とする場合、たとえばタブレット型コンピュータ１００に操作ボタンが存在する場合でも、その操作ボタンが固定バンド７０で覆われてしまうのを防止可能となる。
【００５６】
また、上述の実施の形態において、固定バンド７０が、導電性を備える部材（たとえば導電性粒子や導電性を有する繊維等）で構成されていても良い。特に、固定バンド７０の先端側に導電部分が露出し、その他の部分には固定バンド７０の内部に導電部分が存在する構成としても良い。たとえば、電気的な絶縁性の高い手袋を装着した状態では、タブレット型コンピュータ１００を操作することは困難であるが、上述したような固定バンド７０を用いる場合、固定バンド７０を必要な寸法よりも長くしておくか、または予備の固定バンド７０を用いることで、この固定バンド７０を手の代わりの操作部位として用いることができる。特に、近年のタブレット型コンピュータ１００は、静電容量方式が一般的であるが、固定バンド７０の導電部位をタブレット型コンピュータ１００のタッチパネル等に接触させると、静電容量に変化を生じさせることができるので、手袋を外さなくても、タブレット型コンピュータ１００の操作が可能となる。
【００５７】
また、上述の実施の形態では、載置面５３には、保持シート６０が取り付けられている。しかしながら、保持シート６０を用いない構成を採用しても良い。また、保持シート６０に代えて、吸盤等のような別途の保持部材を用いる構成としても良い。
【符号の説明】
【００５８】
１０…収納ケース、１１…計測データ表示装置の固定収納構造、２０…下ケース、２０ａ…底面、２０ｂ…外周壁、２１…計測器収納部、２２…備品収納部、２３…仕切壁、２４，２５…段差部、２５ａ…段差面、２５ｂ…上側外周壁、２６…隔壁、２７…凹嵌部、３０…上ケース、４０…ヒンジ部、５０…載置台、５１…外周壁、５２…上面、５２ａ…スイッチ、５２ｂ…点灯部、５２ｃ…端子穴、５３…載置面、５４…端部壁、５５…フック（掛止部に対応）、６０…保持シート、７０…固定バンド、７１…取付支点、７１ａ…固定孔、７１ｂ…段付きネジ、７２…係止孔、７３…内周保護部、１００…タブレット型コンピュータ（計測データ表示装置に対応）
【図１】
2017173070.tif 000003
【図２】
2017173070.tif 000004
【図３】
2017173070.tif 000005
【図４】
2017173070.tif 000006
【図５】
2017173070.tif 000007
【図６】
2017173070.tif 000008
【図７】
2017173070.tif 000009
【図８】
2017173070.tif 000010